(57)【要約】【課題】街道又は道路脇又は団地の街灯等の照明装置と蓄放電装置とを結合することで、電気エネルギ制御ユニット（ＥＣＵ１００）の制御により、随時に外部に充電電気エネルギを提供することで電気自動車又は携帯電話等の装置を充電可能であり、夜間の停電時に照明を提供することで、生活の便利および安全を高める外部給電機能付照明装置を提供する。【解決手段】照明装置と蓄放電装置とを結合することにより停電時にも照明を提供可能なライトを構成する外部給電機能付照明装置である。外部給電機能付照明装置は、停電時、外部に交流又は直流電流を供給し、制御装置アセンブリを統合する操作装置（ＯＰ１００）と、外部に電気エネルギを供給するインタフェース装置（Ｃ１００）と、発光装置（Ｌ１００）と、電源（ＰＳ１００）と、蓄放電装置（ＥＳＤ１００）を備える。【選択図】  図１
2014124081.tif 000002
【特許請求の範囲】
【請求項１】
照明装置と蓄放電装置により無停電ライトを構成し、停電時、外部に交流又は直流の電流を供給し、
制御装置アセンブリを統合する操作装置と、外部に電気エネルギを供給するインタフェース装置と、電気エネルギに駆動される発光装置と、電源と、蓄放電装置と、を備え、
電源（ＰＳ１００）は、停電時に、交流または直流の電流を出力し、市内の電源、太陽光発電の電源、及び、風力発電の電源のうち少なくとも一つを含み、電気エネルギを制御装置アセンブリ（１０００）へ伝送し、
制御装置アセンブリ（１０００）は、操作装置（ＯＰ１００）、電気エネルギ制御ユニット（ＥＣＵ１００）、及び、電気エネルギ出力制御回路装置（ＯＰＣ１００）ののうち少なくとも一方に制御され、外部に電気エネルギを供給するインタフェース装置（Ｃ１００）を経て、外部に交流又は直流の電気エネルギを出力し、又は発光装置（Ｌ１００）へ電気エネルギを伝送し、交流電源、直流電源、交流を直流に変換する電源、又は直流を交流に変換する電源（ＰＳ１００）が入力されてから、電気エネルギ制御ユニット（ＥＣＵ１００）へ伝送することにより、蓄放電装置（ＥＳＤ１００）を充電し、又は発光装置（Ｌ１００）に給電し、又は電気エネルギ出力制御回路装置（ＯＰＣ１００）及び外部に電気エネルギを供給するインタフェース装置（Ｃ１００）を経て、外部に交流又は直流の電気エネルギを出力し、
操作装置（ＯＰ１００）は、人力制御の電気機械式スイッチ、押しボタンインタフェース、タッチ式インタフェース、又は、ボイスコントロール式インタフェースにより構成され、操作スイッチ機能、利用者識別機能、又は、コマンド識別機能を有し、システムを起動させ、周辺照度検出器を設けることにより、昼夜を識別し、電源検知機能により電源の正常給電および異常停電を検知し、蓄放電装置（ＥＳＤ１００）の給電を起動し、又は電気信号を識別し、又はコマンドを受けてから電気エネルギ制御ユニット（ＥＣＵ１００）を制御し、
蓄放電装置（ＥＳＤ１００）は、充放電可能な蓄電装置の一種であり、充放電可能な二次電池、スパーキャパシタ、又はキャパシタにより構成されており、電気エネルギ制御ユニット（ＥＣＵ１００）の制御を受け、電源（ＰＳ１００）から電気エネルギ制御ユニット（ＥＣＵ１００）を経て蓄放電装置（ＥＳＤ１００）を充電する電気エネルギを制御し、及び電気エネルギ制御ユニット（ＥＣＵ１００）の制御を受け、電気エネルギを制御することにより発光装置（Ｌ１００）に給電し、又は電気エネルギ出力制御回路装置（ＯＰＣ１００）及び外部に電気エネルギを供給するインタフェース装置（Ｃ１００）を介して外部に給電し、
電気エネルギ制御ユニット（ＥＣＵ１００）は、電気機械素子、固相電子回路素子、チップ、及び関連ソフトウェアにより構成され、電源（ＰＳ１００）の入力電気エネルギ及び操作装置（ＯＰ１００）により制御され、（一）電源（ＰＳ１００）の電気エネルギにより駆動される発光装置（Ｌ１００）のスイッチングタイミングを制御する作動機能、（二）蓄放電装置（ＥＳＤ１００）に充電するタイミング及び蓄放電装置（ＥＳＤ１００）への充電を停止するタイミングを制御する作動機能、（三）蓄放電装置（ＥＳＤ１００）から出力される電気エネルギ、および操作装置（ＯＰ１００）の検知信号に基づいて、発光装置（Ｌ１００）への給電又は停電を制御する作動機能、（四）電気エネルギ出力制御回路装置（ＯＰＣ１００）に制御され、外部に電気エネルギを供給するインタフェース装置（Ｃ１００）を介して、電源（ＰＳ１００）の交流電気エネルギ、又は変圧された交流電気エネルギを提供する作動機能、（五）電気エネルギ出力制御回路装置（ＯＰＣ１００）の制御により、蓄放電装置（ＥＳＤ１００）により直流電気エネルギを交流電気エネルギに変換する作動機能、および、（六）電気エネルギ出力制御回路装置（ＯＰＣ１００）により、蓄放電装置（ＥＳＤ１００）の直流電気エネルギを制御、する作動機能のうち少なくとも一つの作動機能を有し、
発光装置（Ｌ１００）は、灯具であり、照明、又は、信号機を含み、電源（ＰＳ１００）が切れたとき電源（ＰＳ１００）の電気エネルギの替わりに蓄放電装置（ＥＳＤ１００）の電気エネルギを用い、操作装置（ＯＰ１００）及び電気エネルギ制御ユニット（ＥＣＵ１００）の設定に従って作動し、操作装置（ＯＰ１００）の制御を受け、電気エネルギ制御ユニット（ＥＣＵ１００）により設定され、電源（ＰＳ１００）の給電が再開するとき、蓄放電装置（ＥＳＤ１００）の電気エネルギの替わりに電源（ＰＳ１００）の電気エネルギを用い、操作装置（ＯＰ１００）及び電気エネルギ制御ユニット（ＥＣＵ１００）の作動状態に従って作動し、操作装置（ＯＰ１００）の制御を受け、電気エネルギ制御ユニット（ＥＣＵ１００）により設定され、
外部に電気エネルギを供給するインタフェース装置（Ｃ１００）は、プラグ、コンセント、または電流制御保護装置により構成され、電気エネルギ制御ユニット（ＥＣＵ１００）から電気エネルギ出力制御回路装置（ＯＰＣ１００）に入力される直流又は交流の電気エネルギを外部に出力し、
電気エネルギ出力制御回路装置（ＯＰＣ１００）は、電気機械素子又は電子回路素子により構成され、ヒューズ、短絡保護装置、電気エネルギ計量装置、出力電圧、電流のモニタリング装置、又は、負荷側が稼動状態であるか否かを検出する有線又は無線の検知装置及びモニタリング装置が設置されており、
制御装置アセンブリ（１０００）を構成する各ユニットは、別体または一体に構成されていることを特徴とする外部給電機能付照明装置。
【請求項２】
制御装置アセンブリ（１０００）は、電源（ＰＳ１００）の電気エネルギを交流又は直流の電気エネルギとして外部に出力し、又は電源（ＰＳ１００）の電気エネルギを発光装置（Ｌ１００）へ伝送し、
発光装置（Ｌ１００）により構成される街灯装置（２０１）は、照明灯、および信号機を含み、停電時、交流又は直流無停電の電気エネルギを外部に提供することを特徴とする請求項１に記載の外部給電機能付照明装置。
【請求項３】
制御装置アセンブリ（１０００）は、電源（ＰＳ１００）の電気エネルギを交流又は直流の電気エネルギとして外部に出力し、又は電源（ＰＳ１００）の電気エネルギを発光装置（Ｌ１００）へ伝送し、
発光装置（Ｌ１００）により構成される公共照明装置（４０１）は、照明灯、および高空警告灯を含むことを特徴とする請求項１に記載の外部給電機能付照明装置。
【請求項４】
制御装置アセンブリ（１０００）は、電源（ＰＳ１００）の電気エネルギを交流又は直流の電気エネルギとして外部に出力し、又は電源（ＰＳ１００）の電気エネルギを発光装置（Ｌ１００）へ伝送し、
発光装置（Ｌ１００）により構成される移動式照明装置（６０１）は、室内又は室外の移動可能な照明装置を含むことを特徴とする請求項１に記載の外部給電機能付照明装置。
【請求項５】
制御装置アセンブリ（１０００）は、電源（ＰＳ１００）の電気エネルギを交流又は直流の電気エネルギとして外部に出力し、又は電源（ＰＳ１００）の電気エネルギを発光装置（Ｌ１００）へ伝送し、
発光装置（Ｌ１００）により構成される停電照明装置（７０１）は、置式又は壁掛式の照明装置であることを特徴とする請求項１に記載の外部給電機能付照明装置。
【請求項６】
制御装置アセンブリ（１０００）は、電源（ＰＳ１００）の電気エネルギを交流又は直流の電気エネルギとして外部に出力し、又は電源（ＰＳ１００）の電気エネルギを発光装置（Ｌ１００）へ伝送し、
発光装置（Ｌ１００）により構成される無停電ウォールランプ（８０１）は、壁に設置される照明装置を含むことを特徴とする請求項１に記載の外部給電機能付照明装置。
【請求項７】
制御装置アセンブリ（１０００）は、電源（ＰＳ１００）の電気エネルギを交流又は直流の電気エネルギとして外部に出力し、又は電源（ＰＳ１００）の電気エネルギを発光装置（Ｌ１００）へ伝送し、
キャッピング式放射型給電ボックス（９０１）を備える外部給電機能インタフェースに、充電用格子表面、充電表示灯、充電用格子、充電用格子カバー（１０１）、および、カバーロック（１０３）を含む管理用周辺装置の全部又は一部が設置されており、
充電用格子カバー（１０１）は、密閉式の構造、又は、通気放熱穴（１０２）が形成されている構造を有することを特徴とする請求項１に記載の外部給電機能付照明装置。
【請求項８】
制御装置アセンブリ（１０００）は、電源（ＰＳ１００）の電気エネルギを交流又は直流の電気エネルギとして外部に出力し、又は電源（ＰＳ１００）の電気エネルギを発光装置（Ｌ１００）へ伝送し、
キャッピング式横配列形給電ボックス（１００１）を備える外部給電機能インタフェースに、充電用格子表面、充電表示灯、充電用格子、充電用格子カバー（１０１）、および、カバーロック（１０３）を含む管理用周辺装置の全部又は一部が設置されており、
充電用格子カバー（１０１）は、密閉式の構造、又は、通気放熱穴（１０２）が形成されている構造を有することを特徴とする請求項１に記載の外部給電機能付照明装置。
【発明の詳細な説明】
【技術分野】
【０００１】
本発明は、照明装置に関し、詳しくは外部給電機能付照明装置に関する。
【背景技術】
【０００２】
従来、外部に電気エネルギを出力する充電装置は、道路脇、公共空間、又は室内空間に設置されている。また、照明装置は、道路脇、公共空間、又は室内空間に設置されている。また、重要場所に設置されている公共照明の街灯又は信号機は、停電時も照明可能な機能が必要であり、蓄放電装置及び充放電制御回路が必要である。しかしながら、蓄放電装置及び充放電制御回路を繰り返して設置することでコストが増える。
【先行技術文献】
【特許文献】
【０００３】
【特許文献１】特開２０１０−０５１１０９号公報
【特許文献２】特開２００８−２５８１２３号公報
【特許文献３】特開平０７−２１９４６７号公報
【発明の概要】
【発明が解決しようとする課題】
【０００４】
本発明は、各種の電気エネルギ装置を適切に統合し、一種の新しい公共施設を創設するものである。本発明は、街道又は道路脇又は団地の街灯等の照明装置と蓄放電装置とを結合することで、電気エネルギ制御ユニット（ＥＣＵ１００）の制御により、随時に外部に充電電気エネルギを提供することで電気自動車又は携帯電話等の装置を充電可能であり、夜間の停電時に照明を提供することで、生活の便利および安全を高める外部給電機能付照明装置を提供することを目的とする。
【課題を解決するための手段】
【０００５】
本発明は、照明装置と蓄放電装置とを結合することにより停電時にも照明を提供可能なライトを構成する外部給電機能付照明装置である。外部給電機能付照明装置は、停電時、外部に交流又は直流電流を供給し、制御装置アセンブリを統合する操作装置と、外部に電気エネルギを供給するインタフェース装置と、発光装置と、電源と、蓄放電装置とを備える。外部給電機能付照明装置は、停電時に、同時に交流及び直流のいずれかの電流を出力することにより、充電用電源として、電動キャリアのバッテリ、エンジンキャリアのバッテリ、又は、充電式携帯家電（例えば携帯電話、カメラ、ノートパソコン又は充電式電動工具）の充放電可能な電池に電気エネルギを提供する。
【図面の簡単な説明】
【０００６】
【図１】本発明の一実施形態による外部給電機能付照明装置の回路を示す模式図である。
【図２】本発明の一実施形態による外部給電機能付照明装置の応用例を示す平面図である。
【図３】本発明の一実施形態による外部給電機能付照明装置の応用例を示す平面図である。
【図４】本発明の一実施形態による外部給電機能付照明装置の応用例を示す平面図である。
【図５】本発明の一実施形態による外部給電機能付照明装置の応用例を示す側面図である。
【図６】本発明の一実施形態による外部給電機能付照明装置の応用例を示す模式図である。
【図７】本発明の一実施形態による外部給電機能付照明装置の応用例を示す模式図である。
【図８】本発明の一実施形態による外部給電機能付照明装置の応用例を示す模式図である。
【図９】本発明の一実施形態による外部給電機能付照明装置を示す模式図である。
【図１０】本発明の他の実施形態による外部給電機能付照明装置を示す模式図である。
【発明を実施するための形態】
【０００７】
（一実施形態）
本発明の一実施形態による外部給電機能付照明装置を下記の通り説明する。
図１は本実施形態の外部給電機能付照明装置の主な回路を示す模式図を示す。
図１に示すように、主に市内の電源、太陽光発電の電源及び風力発電の電源（ＰＳ１００）の三者、またはいずれか一つにより供給される電気エネルギを制御装置アセンブリ（１０００）へ伝送する。制御装置アセンブリ（１０００）は、操作装置（ＯＰ１００）、電気エネルギ制御ユニット（ＥＣＵ１００）、及び、電気エネルギ出力制御回路装置（ＯＰＣ１００）ののうち少なくとも一方に制御され、外部に電気エネルギを供給するインタフェース装置（Ｃ１００）を経て、外部に交流又は直流の電気エネルギを出力し、又は発光装置（Ｌ１００）へ電気エネルギを伝送し、交流電源、直流電源、交流を直流に変換する電源、又は直流を交流に変換する電源（ＰＳ１００）が入力されてから、電気エネルギ制御ユニット（ＥＣＵ１００）へ伝送することにより、蓄放電装置（ＥＳＤ１００）を充電し、又は発光装置（Ｌ１００）に給電し、又は電気エネルギ出力制御回路装置（ＯＰＣ１００）及び外部に電気エネルギを供給するインタフェース装置（Ｃ１００）を経て、外部に交流又は直流の電気エネルギを出力する。その主な構成は下記の通りである。
【０００８】
操作装置（ＯＰ１００）は、人力制御の電気機械式スイッチ、押しボタンインタフェース、タッチ式インタフェース、又は、ボイスコントロール式インタフェースにより構成され、操作スイッチ機能、利用者識別機能、又は、コマンド識別機能を有し、システムを起動させ、周辺照度検出器を設けることにより、昼夜を識別し、電源検知機能により電源の正常給電および異常停電を検知し、蓄放電装置（ＥＳＤ１００）の給電を起動し、又は電気信号を識別し、又はコマンドを受けてから電気エネルギ制御ユニット（ＥＣＵ１００）を制御する。
【０００９】
蓄放電装置（ＥＳＤ１００）は、充放電可能な蓄電装置の一種であり、充放電可能な二次電池、スパーキャパシタ、又はキャパシタにより構成されており、電気エネルギ制御ユニット（ＥＣＵ１００）の制御を受け、電源（ＰＳ１００）から電気エネルギ制御ユニット（ＥＣＵ１００）を経て蓄放電装置（ＥＳＤ１００）を充電する電気エネルギを制御し、及び電気エネルギ制御ユニット（ＥＣＵ１００）の制御を受け、電気エネルギを制御することにより発光装置（Ｌ１００）に給電し、又は電気エネルギ出力制御回路装置（ＯＰＣ１００）及び外部に電気エネルギを供給するインタフェース装置（Ｃ１００）を介して外部に給電する。
【００１０】
電気エネルギ制御ユニット（ＥＣＵ１００）は、電気機械素子、固相電子回路素子、チップ、及び関連ソフトウェアにより構成され、電源（ＰＳ１００）の入力電気エネルギ及び操作装置（ＯＰ１００）により制御され、（一）電源（ＰＳ１００）の電気エネルギにより駆動される発光装置（Ｌ１００）のスイッチングタイミングを制御する作動機能、（二）蓄放電装置（ＥＳＤ１００）に充電するタイミング及び蓄放電装置（ＥＳＤ１００）への充電を停止するタイミングを制御する作動機能、（三）蓄放電装置（ＥＳＤ１００）から出力される電気エネルギ、および操作装置（ＯＰ１００）の検知信号に基づいて、発光装置（Ｌ１００）への給電又は停電を制御する作動機能、（四）電気エネルギ出力制御回路装置（ＯＰＣ１００）に制御され、外部に電気エネルギを供給するインタフェース装置（Ｃ１００）を介して、電源（ＰＳ１００）の交流電気エネルギ、又は変圧された交流電気エネルギを提供する作動機能、（五）電気エネルギ出力制御回路装置（ＯＰＣ１００）の制御により、蓄放電装置（ＥＳＤ１００）により直流電気エネルギを交流電気エネルギに変換する作動機能、および、（六）電気エネルギ出力制御回路装置（ＯＰＣ１００）により、蓄放電装置（ＥＳＤ１００）の直流電気エネルギを制御、する作動機能のうち少なくとも一つの作動機能を有する。
【００１１】
発光装置（Ｌ１００）は、灯具であり、照明、又は、信号機を含み、電源（ＰＳ１００）が切れたとき電源（ＰＳ１００）の電気エネルギの替わりに蓄放電装置（ＥＳＤ１００）の電気エネルギを用い、操作装置（ＯＰ１００）及び電気エネルギ制御ユニット（ＥＣＵ１００）の設定に従って作動し、操作装置（ＯＰ１００）の制御を受け、電気エネルギ制御ユニット（ＥＣＵ１００）により設定され、電源（ＰＳ１００）の給電が再開するとき、蓄放電装置（ＥＳＤ１００）の電気エネルギの替わりに電源（ＰＳ１００）の電気エネルギを用い、操作装置（ＯＰ１００）及び電気エネルギ制御ユニット（ＥＣＵ１００）の作動状態に従って作動し、操作装置（ＯＰ１００）の制御を受け、電気エネルギ制御ユニット（ＥＣＵ１００）により設定される。
【００１２】
外部に電気エネルギを供給するインタフェース装置（Ｃ１００）は、プラグ、コンセント、または電流制御保護装置により構成され、電気エネルギ制御ユニット（ＥＣＵ１００）から電気エネルギ出力制御回路装置（ＯＰＣ１００）に入力される直流又は交流の電気エネルギを外部に出力する。
【００１３】
電気エネルギ出力制御回路装置（ＯＰＣ１００）は、電気機械素子又は電子回路素子により構成され、ヒューズ、短絡保護装置、電気エネルギ計量装置、出力電圧、電流のモニタリング装置、又は、負荷側が稼動状態であるか否かを検出する有線又は無線の検知装置及びモニタリング装置が設置される。
【００１４】
上述により制御装置アセンブリ（１０００）を構成する各ユニットは、別体または一体に構成されている。
図２に本実施形態の外部給電機能付照明装置を街灯装置（２０１）へ応用する応用例の前面図を示す。
図３に本実施形態の外部給電機能付照明装置を街灯装置（２０１）へ応用する応用例の側面図を示す。
図２及び図３に示すように、制御装置アセンブリ（１０００）は、電源（ＰＳ１００）の電気エネルギを交流又は直流の電気エネルギとして外部に出力し、又は電源（ＰＳ１００）の電気エネルギを発光装置（Ｌ１００）へ伝送する。
【００１５】
その中の発光装置（Ｌ１００）により構成される停電時無停電の街灯装置（２０１）は、照明灯又は信号機、例えば歩行者用信号機、踏切灯を含むと同時に、停電時、外部に交流又は直流の電気エネルギを提供する。
図４に本実施形態の外部給電機能付照明装置を露天広場の床置式公共照明装置（４０１）へ応用する応用例の前面図を示す。
図５に本実施形態の外部給電機能付照明装置を露天広場の床置式公共照明装置（４０１）へ応用する応用例の側面図を示す。
図４及び図５に示すように、制御装置アセンブリ（１０００）は、電源（ＰＳ１００）の電気エネルギを交流又は直流の電気エネルギとして外部に出力し、又は電源（ＰＳ１００）の電気エネルギを発光装置（Ｌ１００）へ伝送する。
【００１６】
その中の発光装置（Ｌ１００）により構成される停電時無停電の公共照明装置（４０１）は、照明灯又は高空警告灯を含むと同時に、停電時、外部に交流又は直流の電気エネルギを提供する。
図６に本実施形態の外部給電機能付照明装置を室内移動式照明装置（６０１）へ応用する応用例を示す。
図６に示すように、制御装置アセンブリ（１０００）は、電源（ＰＳ１００）の電気エネルギを交流又は直流の電気エネルギとして外部に出力し、又は電源（ＰＳ１００）の電気エネルギを発光装置（Ｌ１００）へ伝送する。  
【００１７】
その中の発光装置（Ｌ１００）により構成される停電時無停電の移動式照明装置（６０１）は、室内又は室外の可移動の照明機能へ応用することを含むと同時に、停電時、外部に交流又は直流の電気エネルギを提供する。
図７に本実施形態の外部給電機能付照明装置を停電照明装置（７０１）へ応用する応用例を示す。
図７に示すように、制御装置アセンブリ（１０００）は、電源（ＰＳ１００）の電気エネルギを交流又は直流の電気エネルギとして外部に出力し、又は電源（ＰＳ１００）の電気エネルギを発光装置（Ｌ１００）へ伝送する。  
【００１８】
その中の発光装置（Ｌ１００）により構成される停電時無停電の停電照明装置（７０１）は、置式又は壁掛式の照明へ応用することを含むと同時に、停電時、外部に交流又は直流の電気エネルギを提供する。
図８に本実施形態の外部給電機能付照明装置を壁に設置されるプラグ（ＰＬ１００）の無停電ウォールランプ（８０１）へ応用する応用例を示す。
図８に示すように、制御装置アセンブリ（１０００）は、電源（ＰＳ１００）の電気エネルギを交流又は直流の電気エネルギとして外部に出力し、又は電源（ＰＳ１００）の電気エネルギを発光装置（Ｌ１００）へ伝送する。
その中の発光装置（Ｌ１００）により構成される停電時無停電の無停電ウォールランプ（８０１）は、壁に設置される照明を含むと同時に、停電時、外部に交流又は直流の電気エネルギを提供する。
【００１９】
図９に本実施形態の外部給電機能インタフェースは、キャッピング式放射型給電ボックス（９０１）を備える。
図９に示すように、制御装置アセンブリ（１０００）は、電源（ＰＳ１００）の電気エネルギを交流又は直流の電気エネルギとして外部に出力し、又は電源（ＰＳ１００）の電気エネルギを発光装置（Ｌ１００）へ伝送する。  
【００２０】
その中のキャッピング式放射型給電ボックス（９０１）を備える外部給電機能インタフェースに、充電用格子表面及び充電表示灯、充電用格子、充電用格子カバー（１０１）、および、カバーロック（１０３）等の管理用周辺装置の全部又は一部を設置することができ、その中の充電用格子カバー（１０１）は、密閉式の構造又は通気放熱穴（１０２）が形成されている構造を有する。
【００２１】
（他の実施形態）
図１０に本実施形態の外部給電機能インタフェースは、キャッピング式横配列形給電ボックス（１００１）を備える実施形態を示す。
図１０に示すように、制御装置アセンブリ（１０００）は、電源（ＰＳ１００）の電気エネルギを交流又は直流の電気エネルギとして外部に出力し、又は電源（ＰＳ１００）の電気エネルギを発光装置（Ｌ１００）へ伝送する。
その中のキャッピング式横配列形給電ボックス（１００１）を備える外部給電機能インタフェースに、充電用格子表面及び充電表示灯、充電用格子、充電用格子カバー（１０１）、および、カバーロック（１０３）等の管理用周辺装置の全部又は一部を設置することができる。その中の充電用格子カバー（１０１）は、密閉式の構造又は通気放熱穴（１０２）が形成されている構造を有する。
【符号の説明】
【００２２】
ＰＳ１００：電源、
ＯＰ１００：操作装置、
ＥＣＵ１００：電気エネルギ制御ユニット、
ＥＳＤ１００：蓄放電装置、
Ｃ１００：外部に電気エネルギを供給するインタフェース装置、
ＯＰＣ１００：電気エネルギ出力制御回路装置、
Ｌ１００：発光装置、
ＰＬ１００：プラグ、
１０１：充電用格子カバー、
１０２：放熱穴、
１０３：カバーロック、
２０１：街灯装置、
４０１：公共照明装置、
６０１：移動式照明装置、
７０１：停電照明装置、
８０１：無停電ウォールランプ、
９０１：放射型給電ボックス、
１００１：横配列形給電ボックス、
１０００：制御装置アセンブリ。
【図１】
2014124081.tif 000003
【図２】
2014124081.tif 000004
【図３】
2014124081.tif 000005
【図４】
2014124081.tif 000006
【図５】
2014124081.tif 000007
【図６】
2014124081.tif 000008
【図７】
2014124081.tif 000009
【図８】
2014124081.tif 000010
【図９】
2014124081.tif 000011
【図１０】
2014124081.tif 000012
【外国語明細書】
2014124081.tif 000013
2014124081.tif 000014
2014124081.tif 000015
2014124081.tif 000016
2014124081.tif 000017
2014124081.tif 000018
2014124081.tif 000019
2014124081.tif 000020
2014124081.tif 000021
2014124081.tif 000022
2014124081.tif 000023
2014124081.tif 000024
2014124081.tif 000025
2014124081.tif 000026
2014124081.tif 000027
2014124081.tif 000028
2014124081.tif 000029
2014124081.tif 000030
2014124081.tif 000031
2014124081.tif 000032
2014124081.tif 000033
2014124081.tif 000034
2014124081.tif 000035
2014124081.tif 000036